(57)【要約】【課題】悪徳行為防止に貢献でき、検査等の確認にかかる手間を簡略化して、確認作業を非常に容易なものとすることのできる遊技機を提供する。【解決手段】パチンコ機の外枠１には前枠２が回動自在に装着されている。前枠２には遊技盤３が設けられている。遊技盤３の前面側ではハンドル７の操作に基づいて所定の遊技が進行されるが、その遊技は遊技盤３の背面側に設けられた制御用のＩＣによって制御される。制御用のＩＣは被包部材にて被包され封印状態にて維持される。被包部材内の少なくとも１箇所には、遊技の制御とは無関係の固有の情報を記憶してなる記憶手段を、制御用のＩＣとは独立して設けるとともに、前記閉鎖状態を維持したままで、前記記憶手段に記憶された固有の情報を、外部確認装置との間で無線通信できるよう構成した。【選択図】          図１
2005198841.tif 000002
【特許請求の範囲】
【請求項１】
少なくとも遊技を司る機能を有するＩＣを備えてなる回路基板と、
前記回路基板を被包した状態で閉鎖状態に維持可能な被包部材とを備えてなる遊技機において、
前記被包部材内の少なくとも１箇所には、遊技の制御とは無関係の固有の情報を記憶してなる記憶手段を、前記ＩＣとは独立して設けるとともに、
前記閉鎖状態を維持したままで、前記記憶手段に記憶された固有の情報を、外部確認装置との間で無線通信できるよう構成したことを特徴とする遊技機。
【発明の詳細な説明】
【技術分野】
【０００１】
本発明は、パチンコ遊技機等の弾球遊技機やスロットマシン等の回胴式遊技機に代表される遊技機に係り、特に遊技を司る制御手段を備えた遊技機に関する。
【背景技術】
【０００２】
近年、パチンコ遊技機、スロットマシン等の遊技機の制御は、かかる制御を主として司るＣＰＵ、制御プログラムを記憶したＲＯＭ、及び遊技状況を記憶するＲＡＭ等を含む制御回路基板を備えることによって行われている。制御回路基板は、例えばパチンコ遊技機では遊技盤の背面側に配設される専用の基板ボックス内に収納されており、スロットマシンでは本体を画定する本体ボックス内に収納されているのが現状である。
【０００３】
ところで、かかる基板ボックス又は本体ボックス内に収納された制御回路基板から遊技内容等に関する制御プログラムが記憶されたＲＯＭ等を取り外し交換して、遊技機の遊技内容を変更等する不正行為が近年問題になっている。
【０００４】
そこで、基板ボックスのボックスベースとボックスカバーとをねじや接着剤で接合固定して閉鎖状態に維持することが行われる。また、不正行為をより確実に防止するために、基板ボックスを封印したり、或いは、ボックスベースとボックスカバーとに跨るように封印シールを貼付したりするといった種々の不正防止対策も提案されている（例えば、特許文献１参照）。
【０００５】
一方、不正行為が行われたか否かを検査することも、必要に応じて或いは定期的に行われている。かかる検査に際しては、例えば基板ボックスの閉鎖状態を解除した上で、基板ボックスからＲＯＭ等を一旦取り外し、当該取り外したＲＯＭ等に記憶されている制御プログラムが正規のものと符合するか否かを判断する。そして、制御プログラムが正規のものと符合しない場合には、不正なＲＯＭ等と交換されたものとして、この時点で不正が発見されることとなる。
【０００６】
以上のように、従来では、基板ボックスの封印等によって基板ボックスを不正に開放されるのを防止するという不正防止対策、及び、ＲＯＭ等の検査を行うことで不正を発見するという不正発見対策が行われていた。なお、不正発見対策も、間接的な側面からの不正防止対策であるといえる。また、かかる対策はパチンコ遊技機に限られず、スロットマシン等の他の遊技機にも適用することが考えられている。
【特許文献１】特開２００１−３０００９１号公報
【発明の開示】
【発明が解決しようとする課題】
【０００７】
ところが、上記検査に際し、基板ボックスの閉鎖状態を解除した上でＲＯＭ等を取り出さなければならないとすると、検査の完了までに著しい手間がかかってしまう。特に、基板ボックスを封印するといったような厳重な構成が採用されていると、基板ボックスの閉鎖状態の解除により一層の手間がかかってしまう。
【０００８】
また、検査等のために一旦閉鎖状態が解除された後、再度基板ボックスを利用に供しようとした場合、再度封印等の不正防止対策を講じなければならず、ここでも著しい手間がかかってしまう。すなわち、ＲＯＭ等の検査を行うことで不正を発見しようとした場合、各作業において著しい手間を要してしまう。
【０００９】
また、封印シール等を貼付したとしても、巧妙に取り外しが行われるおそれがあり、係る意味では十分な効果が得られないおそれがある。
【００１０】
本発明は以上の事情に鑑みてなされたものである。すなわち、本発明は、不正行為の防止に貢献することができ、しかも検査等の確認にかかる手間を簡略化して、確認作業を非常に容易なものとすることのできる遊技機を提供することを主目的とする。
【課題を解決するための手段】
【００１１】
以下、上記目的等を解決するのに適した各手段につき項分けして説明する。なお、必要に応じて対応する手段に特有の作用効果等を付記する。
【００１２】
手段１．少なくとも遊技を司る機能を有するＩＣを備えてなる回路基板と、
前記回路基板を被包した状態で閉鎖状態に維持可能な被包部材とを備えてなる遊技機において、
前記被包部材内の少なくとも１箇所には、遊技の制御とは無関係の固有の情報を記憶してなる記憶手段を、前記ＩＣとは独立して設けるとともに、
前記閉鎖状態を維持したままで、前記記憶手段に記憶された固有の情報を、外部確認装置との間で無線通信できるよう構成したことを特徴とする遊技機。
【００１３】
手段１によれば、少なくとも遊技を司る機能を有するＩＣを備えてなる回路基板を被包した状態で、被包部材が閉鎖状態に維持される。従って、ＩＣや回路基板に不正を行いにくくすることができる。また、記憶手段には、少なくとも遊技の制御とは無関係の固有の情報が記憶されている。そして、確認作業に際しては、前記閉鎖状態を維持したままで、外部確認装置との間で、固有の情報が無線通信でき、これにより確認作業ができる。このため、ＩＣを回路基板から取外し不能又は困難とするよう構成したとしても、或いは回路基板を被包部材から取外し不能又は困難とするよう構成したとしても、確認に支障が生じない。従って、かかる構成を採用することで、ＩＣ等が取り外されるという不正行為が抑制される。また、確認に際しては、閉鎖状態を解除する手間及び確認後閉鎖状態に復帰させる手間をかけることなく確認することができる。しかも、外部確認装置との間で無線通信できる情報は、遊技の制御とは無関係の固有の情報であるため、たとえどのような者が確認作業を行ったとしても、遊技の制御に関わる情報が漏洩したりしてしまうおそれがない。このことは、記憶手段が、前記ＩＣとは独立して設けられていることと相俟って導出される作用である。それ故、確認作業に際し、厳格な条件（例えば厳格な警戒条件）を課す必要が無く、例えば遊技場関係者が簡易に不正チェックを行うことができる。
【００１４】
なお、「記憶」に代えて、「格納」或いは「書込」としてもよい。また、「固有の情報」には、プログラム、データ及びアドレスの少なくとも１つが含まれていることとしてもよい。ここで、プログラムとしては、例えば通信のための設定プログラム等が挙げられる。また、データとしては、例えば、遊技とは無関係の遊技機固有のデータ（ＩＤデータ）等が挙げられる。従って、「前記固有の情報は、遊技機固有のＩＤデータであること」としてもよい（以降各手段において同様）。
【００１５】
手段２．少なくとも遊技を司る機能を有するＩＣを備えてなる回路基板と、
前記回路基板を被包した状態で閉鎖状態に維持可能な被包部材とを備えてなる遊技機において、
前記被包部材内の少なくとも１箇所には、遊技の制御とは無関係の固有の情報を記憶してなる記憶手段及び外部通信手段を、前記ＩＣとは独立して設けるとともに、
前記閉鎖状態を維持したままで、前記記憶手段に記憶された固有の情報を、前記外部通信手段を介して外部確認装置との間で無線通信できるよう構成したことを特徴とする遊技機。
【００１６】
手段２によれば、基本的には手段１と同様の作用効果が奏される。特に、手段２では固有の情報が外部通信手段（例えば外部アンテナ）を介して無線通信される。
【００１７】
手段３．前記ＩＣを内包するように封止体にて封止し、封止体には前記ＩＣに接続される導電体の内端側を内包する一方、該導電体の外端側を封止体から露出させ、該導電体の外端側を基板側に接続することにより前記回路基板を構成するとともに、
少なくとも前記記憶手段を、前記封止体内において前記ＩＣとは離間した位置に封止したことを特徴とする手段１又は２に記載の遊技機。
【００１８】
なお、ＩＣの具体的な態様としては、例えばＣＰＵ、ＲＯＭ、ＲＡＭ等を含むＩＣチップなどが挙げられる。また、前記封止体としては樹脂又はセラミックによるパッケージが一般的であるが、他にもケース状のものや蓋状のものであってもよい。また、前記導電体としては例えばリードが挙げられ、前記導電体の外端側のうち封止体から露出した部位は例えばリードの一部であるピンが挙げられる。
【００１９】
手段３によれば、少なくとも記憶手段（手段２にあっては記憶手段及び外部通信手段）が封止体内においてＩＣとは離間した位置に封止されている。従って、封止体が不正に別のものに取り替えられたような場合には、簡易な確認作業で容易に不正発見を行うことができる。
【００２０】
手段４．前記導電体の本数は、１０本以上であることを特徴とする手段３に記載の遊技機。
【００２１】
一般に、封止体がＣＰＵやＲＯＭといった重要なものを内蔵していない場合、警戒という点においてはおろそかにされがちである。ところが導電体の本数が１０本以上である場合、そのような封止体がたとえＣＰＵ等の重要なものを含んでいない場合であっても、不正に改ざんし、制御機能を具備せしめた別の封止体に取り替えることで、制御機能を不正に付与させてしまうことが行われることが懸念される。この点、手段４のように、１０本以上の導電体の本数を具備している封止体に関し、記憶手段が封止されていることから、上記のように取り替えられた場合でも、容易に不正を発見することができる。なお、「１０本以上」に変えて、「２０本以上」「３０本以上」としてもよく、また、「・・本以上、１００本以下」或いは「・・以上、８０本以下」としてもよい。
【００２２】
手段５．前記回路基板には複数の封止体が設けられ、複数の封止体内において少なくとも前記記憶手段が封止されていることを特徴とする手段３又は４に記載の遊技機。
【００２３】
手段５によれば、特に、複数の封止体内においてそれぞれ記憶手段が封止されているため、各記憶手段に記憶された固有の情報同士をチェックすることにより、より確実な検査を行うことができる。また、検査の精度を一層向上させることができる。
【００２４】
手段６．前記記憶手段に記憶された固有の情報を改ざん不能に構成したことを特徴とする手段１乃至５のいずれかに記載の遊技機。
【００２５】
手段６によれば、いったん固有の情報が記憶手段に記憶されてしまえば、二度と改ざんすることができないため、記憶手段に別の情報を記憶させ、これにより不正の隠滅を図るという悪質な行為を抑制することができる。
【００２６】
手段７．前記記憶手段は、前記外部確認装置からの無線波の発信に伴い、自ら起電可能に構成され、前記固有の情報を前記外部確認装置に対して無線送信可能となっていることを特徴とする手段１乃至６のいずれかに記載の遊技機。
【００２７】
手段７によれば、記憶手段は、外部確認装置からの無線波の発信に伴い、自ら起電可能であるため、遊技機の電源を投入しなくても、容易かつ速やかに確認作業を行うことができる。
【００２８】
特に、「回路基板（被包部材）が遊技機本体とは別に遊技場に搬送され、遊技場内において回路基板が組み立てられる」タイプの遊技機においては、上記効果は顕著なものとなる。すなわち、このような場合には、遊技場内において、組立の前段階において、回路基板のみを検査等することができる。そのため、遊技場での稼動前段階において、不正が行われた遊技機の設置を規制することができる。結果として遊技場の信用失墜を抑止することができる。
【００２９】
手段８．前記ＩＣは、少なくとも遊技の制御とは無関係の事項を予め記憶してなる独立記憶部を備えており、前記閉鎖状態を維持したまま前記独立記憶部と、有線外部確認装置との間での通信を許容するための通信端子を前記回路基板に設け、該通信端子の少なくとも一部が、前記被包部材の所定部位から露出した状態又は露出可能な状態となるよう構成したことを特徴とする遊技機。
【００３０】
手段８によれば、有線外部確認装置を用いた確認作業を行うこともできる。当該作業に際しては、前記閉鎖状態を維持したまま、被包部材の所定部位から少なくとも一部が露出した状態又は露出可能な状態で設けられた通信端子を介して、独立記憶部と有線外部確認装置との間での通信が許容される。このため、ＩＣを回路基板から取外し不能又は困難とするよう構成したとしても、或いは回路基板を被包部材から取外し不能又は困難とするよう構成したとしても、確認に支障が生じない。従って、かかる構成を採用したとしても、ＩＣ等が取り外されるという不正行為が抑制される。また、確認に際しては、閉鎖状態を解除する手間及び確認後閉鎖状態に復帰させる手間をかけることなく前記独立記憶部に記憶されている事項を確認することができる。さらに、独立記憶部を介して、ＩＣの情報（例えば遊技に直接関係のあるプログラム）をも有線外部確認装置に送信可能に構成されている場合には、安易に有線外部確認装置で確認できない事情が生ずることとなる。つまり、このような場合、厳格な条件の下、確認作業を行う必要がある。この点、上述したように、記憶手段に記憶された固有の情報が、外部確認装置との間で無線通信できるようになっているため、厳格な条件を課さずとも、無線での確認作業を行うことができる。従って、厳格な条件での検査、簡便な検査の双方を行うことができるという意味でメリットが大きい。
【００３１】
手段９．手段１乃至８のいずれかにおいて、遊技機はパチンコ遊技機であること。中でも、パチンコ遊技機の基本構成としては、操作ハンドルを備えていてそのハンドル操作に応じて遊技球を所定の遊技領域に発射させ、遊技球が遊技領域内の所定の位置に配置された作動口に入賞することを必要条件として可変表示装置において変動表示されている識別情報が所定時間後に確定停止されることが挙げられる。また、特別遊技状態発生時には遊技領域内の所定の位置に配置された可変入賞装置が所定の態様で開放されて遊技球を入賞可能とし、その入賞個数に応じた有価価値（景品球のみならず、磁気カードへの書き込み等も含む）が付与されることが挙げられる。なお、パチンコ遊技機にあっては、被包部材は遊技盤の背面側に配設される。
【００３２】
手段１０．手段１乃至８のいずれかにおいて、遊技機は回胴式遊技機であること。ここで、回胴式遊技機の構成としては、「複数の識別情報からなる識別情報列（具体的にはリールであり、識別情報はリールに付されたシンボルである）を変動表示（具体的にはリールの回動である）した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段を備えた回胴式遊技機」となる。なお、回胴式遊技機にあっては、被包部材は遊技機本体を画定する本体ボックス内に収納される。なお、回胴式遊技機にあっては、被包部材は、遊技機本体とは別に遊技場に搬送されることが多い。
【００３３】
手段１１．手段１乃至８のいずれかにおいて、遊技機はパチンコ機とスロットマシンとを融合させた遊技機であること。中でも、前記融合させた遊技機の基本構成としては、「複数の識別情報からなる識別情報列（具体的にはリールであり、識別情報はリールに付されたシンボルである）を変動表示（具体的にはリールの回動である）した後に識別情報を確定表示する可変表示手段を備え、始動用操作手段（例えば操作レバー）の操作に起因して識別情報の変動が開始され、停止用操作手段（例えばストップボタン）の操作に起因して或いは所定時間経過することにより識別情報の変動が停止され、その停止時の確定識別情報が特定識別情報であることを必要条件として遊技者に有利な特別遊技状態を発生させる特別遊技状態発生手段とを備え、遊技媒体として遊技球を使用するとともに、前記識別情報の変動開始に際しては所定数の遊技球を必要とし、特別遊技状態の発生に際しては多くの遊技球が払い出されるよう構成されてなる遊技機」となる。なお、かかる遊技機にあっては、被包部材は遊技機本体を画定する本体ボックスを備えたものであればその本体ボックス内に収容され、本体ボックスを有しないものであれば遊技機背面側に配設される。なお、本遊技機にあっては、被包部材は、遊技機本体とは別に遊技場に搬送されることが多い。
【発明を実施するための最良の形態】
【００３４】
以下に、遊技機の一種であるパチンコ遊技機（以下、単に「パチンコ機」という）についての一実施形態を、図面に基づいて詳細に説明する。
【００３５】
図１に示すように、パチンコ機の外形を構成する外枠１には前枠２が一側の回動軸を中心に回動可能に装着されている。同図では前枠２は閉じた状態にある。前枠２には、遊技盤３（図２参照）、遊技盤３の前方に設けられガラス板４ａを有してなるガラス扉枠４、上皿５、下皿６、ハンドル７等が装着されている。上皿５の側方であって、前枠２の内部にはスピーカ８が埋設されている。スピーカ８は、遊技の進行に伴い種々の効果音を鳴らしたり、遊技者に遊技状態を音声にて報知する。前記遊技盤３の後部には機構盤が配設されている。
【００３６】
次に、遊技盤３の遊技面上の構成について説明する。図２に示すように、遊技盤３には、作動口ユニット１１及び大入賞口ユニット１２が設けられている。作動口ユニット１１は、遊技媒体としての遊技球Ｂが入賞したり通過する作動口１１ａ及び作動ゲート１１ｂを備えており、その作動口１１ａの入口には羽根１３が開閉可能に支持されている。
【００３７】
また、大入賞口ユニット１２は、大入賞口１２ａ及びシャッタ１４を備えている。シャッタ１４は、大入賞口１２ａの側部に設けられた図示しない大入賞口用ソレノイドにより作動させられ、大入賞口１２ａを開閉する。詳しくは、当該ソレノイドが励磁状態となることにより、シャッタ１４が略水平に傾き、これにより大入賞口１２ａが開かれる。また、ソレノイドが非励磁状態となることにより、シャッタ１４が略垂直状態となり、これにより大入賞口１２ａは閉鎖される。
【００３８】
さらに、遊技盤３の側部には、一般入賞口ユニット１５，１６，１７，１８が設けられている。一般入賞口ユニット１５〜１８は、一般入賞口１５ａ，１６ａ，１７ａ，１８ａを備えている。
【００３９】
遊技盤３の中央部分（大入賞口ユニット１２の上方）には、特別図柄表示装置（以下、単に「表示装置」という）１９が組込まれている。表示装置１９は、液晶ディスプレイ（ＬＣＤ）よりなる表示部１９ａを備えており、ここに複数の（例えば３つの）図柄列が表示される。図柄列は、基本的には、複数種類の図柄によって構成されている。これらの図柄は、特別遊技図柄としての大当たり図柄、外れリーチ図柄及び外れ図柄のいずれかになりうる。
【００４０】
表示装置１９の表示部１９ａでは、各図柄列の図柄変動（回転変動）が、遊技球Ｂの作動口１１ａへの入賞に基づいて開始させられる。また、大当たり図柄、外れリーチ図柄、外れ図柄の中から１つが選択され、これが停止図柄として設定される。停止図柄とは、各図柄列が図柄変動を停止したときに表示される図柄である。
【００４１】
大当たり図柄は、いわゆるリーチ状態を経た後、遊技者に有利な大当たり状態を発生させるための図柄である。詳しくは、全ての図柄列の変動が停止させられたとき、表示されている図柄の組合せが、予め定められた大当たりの組合せ、すなわち、同一種類の図柄が大当たりラインに沿って並んでいるときの同図柄の組合せ（例えば、「７」、「７」、「７」の図柄）となる場合がある。この組合せを構成する図柄が「大当たり図柄」である。大当たりの組合せが成立すると、大入賞口１２ａが開かれ、遊技者にとって有利な大当たり状態の到来、すなわち、より多くの景品球を獲得することが可能となる。
【００４２】
表示装置１９において、表示部１９ａの上方には、発光ダイオード（ＬＥＤ）からなる保留ランプ２１ａ，２１ｂ，２１ｃ，２１ｄが組み込まれている。保留ランプ２１ａ〜２１ｄは、基本的には作動口１１ａへの入賞に基づく変動表示の保留毎に点灯させられ、その保留に対応した変動表示の実行に伴い消灯させられる。
【００４３】
また、表示装置１９の上部には、ＬＥＤよりなる７セグ表示部２２が設けられている。さらに、前記表示装置２２の左右両側方には一対の通過ゲート２３ａ，２４ａを備えた通過ゲートユニット２３，２４が配設されている。同通過ゲート２３ａ，２４ａを遊技球Ｂが通過することに基づいて、前記７セグ表示部２２が作動する。本実施形態では、７セグ表示部２２は、「０」から「９」までの数字を可変表示する。そして、その数字が所定値（本実施形態では「７」）で停止することに基づいて、作動口ユニット１１の羽根１３が所定秒数開放するようになっている。この開放により、作動口１１ａへの入賞が比較的容易なものとなる。７セグ表示部２２の周辺近傍においては、遊技球Ｂの通過ゲート２３ａ，２４ａの通過回数が４回まで記憶表示され、図示しない４つの保留ランプでその保留数が表示される。
【００４４】
また、遊技盤３の複数箇所には、遊技効果を高めるための各種ランプ等の他の役物が取付けられている（ランプ風車、コーナー飾り等）。
【００４５】
本実施形態では、遊技者の操作に応じて変化するパチンコ機の遊技状態を検出するべく、遊技盤３には、遊技球Ｂの入賞を検出するための種々の検出スイッチが取付けられている。より詳しくは、作動ゲート１１ｂには、作動ゲート用スイッチ３１が設けられている。また、作動口１１ａ近傍には作動口用スイッチ３２が設けられている。本実施形態では、作動口用スイッチ３２にて遊技球Ｂの入賞が検出された場合、遊技者に対し、１入賞あたり５個の景品球が払い出されるようになっている。
【００４６】
また、大入賞口１２ａ近傍には、２つの大入賞口用スイッチ３３，３４が設けられている。シャッタ１４の内側面には、逆ハの字状をなす図示しない案内レールが一体形成されており、該案内レールにより、大入賞口１２ａに入賞した入賞球は円滑に、かつ、速やかにいずれかの大入賞口用スイッチ３３，３４を通過しうる。本実施形態では、大入賞口用スイッチ３３，３４にて遊技球Ｂの入賞が検出された場合、遊技者に対し、１入賞あたり１５個の景品球が払い出されるようになっている。さらに、一般入賞口１５ａ〜１８ａ近傍には、一般入賞口用スイッチ３５，３６，３７，３８が設けられている。本実施形態では、一般入賞口用スイッチ３５〜３８にて遊技球Ｂの入賞が検出された場合、遊技者に対し、１入賞あたり１０個の景品球が払い出されるようになっている。なお、上記景品球の払い出し数（「５個」又は「１０個」又は「１５個」）に関する数値はあくまでも例示であって、上記数値に何ら限定されるものではない。従って、例えば「６個」「７個」「１１個」「１２個」「１３個」「１４個」「１６個」或いはそれ以上（例えば「２５個」）等の数値を採用しても何ら差し支えない。併せて、通過ゲート２３，２４には、通過ゲート用スイッチ３９，４０が設けられている。
【００４７】
そして、これらスイッチ３１〜４０により、遊技球Ｂの作動ゲート１１ｂの通過や作動口１１ａへの入賞、大入賞口１２ａへの入賞、或いは一般入賞口１５ａ〜１８ａへの入賞や、通過ゲート２３ａ，２４ａの通過等が検出される。また、各スイッチ３２〜３８の検出結果に基づき、図示しない景品球払出装置等の駆動制御が導出されるようになっている。景品球払出装置等は、パルスモータを備えており、該モータが駆動させられることにより、タンク６４（図４参照）等に貯留されている景品球（遊技球Ｂ）が、払い出し通路を通って、上皿５（又は下皿６）へと払い出されるようになっている。
【００４８】
本実施形態では、上記各スイッチ３１〜４０の検出結果に基づき、各種ソレノイドや、表示装置１９、各保留ランプ２１ａ〜２１ｄ、各種ランプ、スピーカ８、パルスモータ等の各種外部装置をそれぞれ駆動制御するために制御装置５０が設けられている。制御装置５０は、図３，４に示すように、主基板（回路基板、制御基板、遊技制御基板を構成する）５１、払出制御基板５２、図柄表示装置制御基板５３、音声制御基板５４、ランプ制御基板５５及び発射制御基板５６等を備えており、これらは例えばそれぞれ透明樹脂等よりなる被包部材を構成する基板ボックス（例えば５１Ｂ，５２Ｂ，５６Ｂ）内に収容されている。
【００４９】
前記遊技盤３の後部に設けられた機構盤の上部には、主たる電源（電源電圧）が供給される電源スイッチ基板６１が設けられているとともに、機構盤の下部には、前記電源スイッチ基板６１からの電源を適宜供給するための電源分配基板６２が設けられている。前記主基板５１の基板ボックス５１Ｂは、機構盤の後部において、前記表示装置１９の背面側に設けられた図柄表示装置制御基板５３の下方に設けられている。図４に示すように、機構盤には、表示装置１９を覆うようにして樹脂製の保護部材としての保護カバー６３が装着されており、これにより、上部のタンク６４等から落下してくる遊技球Ｂ等から表示装置１９及び図柄表示装置制御基板５３が保護されるようになっている。そして、主基板５１の基板ボックス５１Ｂの大部分は、前記保護カバー６３からはみ出すようにして横長に配置されている（これについては後述する）。
【００５０】
また、払出制御基板５２は、前記主基板５１の側方に設けられている。当該主基板５１及び払出制御基板５２には、前記電源分配基板６２からの分配された電源電圧がそれぞれ印加（供給）される。また、これとともに、図柄表示装置制御基板５３、音声制御基板５４及びランプ制御基板５５には、主基板５１からの電源電圧がそれぞれ供給される。さらに、発射制御基板５６には、前記払出制御基板５２からの電源電圧が供給されるようになっている。景品球払出装置は、払出制御基板５２からの出力信号に基づいて駆動制御されるようになっている。なお、電源スイッチ基板６１に隣接して、情報端子６５が設けられている。該情報端子６５からホールコンピュータや外部のカウント表示装置等へ当該パチンコ機における各種遊技情報（例えば本日の大当たり回数、図柄の変動回数、出玉に関する情報等）が出力されるようになっている。
【００５１】
主基板５１、払出制御基板５２をはじめとする各種基板には、制御用のＩＣパッケージが実装されている。ここで、図８に示すように、基板ボックス５１Ｂ内の主基板５１に実装されるＩＣパッケージ７１は、ＩＣ、制御手段を構成するＩＣチップ７２と、複数本のリード７３と、これらを封止する封止体７４とによって構成されており、リード７３が主基板５１に対しハンダ接合により実装されている（ハンダは固着手段を構成する）。本実施形態では、このようにリード７３が主基板５１に対し強固に固着されていることで、ＩＣパッケージ７１が主基板５１から取外し不能又は困難となっており、ＩＣパッケージ７１の取外し、交換による不正行為の抑制が図られている。もちろん、主基板５１に設けられた図示しないソケット等の「中間部材」を介して装着される構成としてもよい。
【００５２】
本実施形態において、ＩＣチップ７２は、リード７３の大部分とともに封止体７４にてパッケージングされている。封止体７４は透明なエポキシ樹脂材料によって構成されている。これにより、ＩＣチップ７２及びリード７３は、外部から透視可能となっている。なお、リード７３とＩＣチップ７２とはワイヤでボンディングされることにより電気的な導通が可能となっている。また、ＩＣパッケージ７１は、ＺＩＰ（Ｚｉｇ−ｚａｇ  Ｉｎｌｉｎｅ  Ｐａｃｋａｇｅ）構造を有している。すなわち、ＩＣパッケージ７１は、リード７３の引出面（リード７３が外部に突出している面）が封止体７４の１側面であるいわゆる縦型タイプである。これにより、封止体７４が表裏両面から視認可能となっている。また特に、本実施形態の封止体７４は透明であるため、その内部のＩＣチップ７２及びリード７３についても表裏両面から視認可能となっている。
【００５３】
また、特に、本実施形態ではＩＣパッケージ７１の周辺には、プリント配線等を除いて主基板５１上にほぼ何も配設されていない。これにより、ＩＣパッケージ７１をより一層視認しやすくなっている。この場合、「ＩＣ、制御手段の周辺において、視認を阻害する他部材の配設を規制したこと」が特徴点となる。なお、ＩＣパッケージ７１の視認をより容易ならしめるべく、照明手段、ミラー、或いはレンズ（いずれも図示せず）等の「視認補助手段」を設けることとしてもよい。
【００５４】
さらに、上記ＩＣパッケージ７１に関しては、ＺＩＰ構造の中でもリード７３間のピッチが狭く、かつ、特殊なＳＺＩＰ（Ｓｈｒｉｎｋ  Ｚｉｇ−ｚａｇ  Ｉｎｌｉｎｅ  Ｐａｃｋａｇｅ）構造が採用されている。すなわち、上記ＳＺＩＰ構造におけるリード７３間のピッチは、例えば０．８２ｍｍに設定されている。
【００５５】
さて、図９は、ＩＣチップ７２等の電気的構成を示すブロック図である。同図に示すように、ＩＣチップ７２には、中央処理装置（ＣＰＵ）８１を中心して、プログラムＲＯＭ８２、ＨＷパラメータ８３、ユーザワークＲＡＭ８４、内部Ｉ／Ｏブロック８５、Ｉ／Ｏポート８６等が備えられており、これらは互いにバス８７によって接続されている。また、これらはバスモニタ８８を介して管理ブロック８９に接続されている。
【００５６】
本実施形態においてプログラムＲＯＭ８２は、光学的作用による書換不能であり、かつ、不揮発性の記憶部であるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）により構成され、ここに所定の制御プログラムや初期データが予め記憶されている。ＣＰＵ８１は、Ｉ／Ｏポート８６を介して入力されてくる各種信号等に基づき前記プログラムＲＯＭ８２の制御プログラム等に従って各種演算処理を実行する。ＨＷパラメータ８３もＥＥＰＲＯＭによって構成され、クロック等に関する各種設定事項等が記憶されている。ユーザワークＲＡＭ８４はＣＰＵ８１による演算結果等の各種データを一時的に記憶するようになっている。また、ユーザワークＲＡＭ８４の所定の端子にはコンデンサが接続され、これにより停電時等におけるデータバックアップが可能となっている。内部Ｉ／Ｏブロック８５は、カウンタ・タイマ、割込みコントローラ及び高速ＨＷカウンタ等の機能ブロックにより構成されている。
【００５７】
さらに、バスモニタ８８は、ＣＰＵ８１の演算データ等を管理ブロック８９へ出力する。管理ブロック８９は、独立記憶部を構成し、検査ポート９１並びにミラードＲＡＭ９２、ステータスＲＡＭ９３及びＩＤ用ＲＡＭ９４等を備えている。
【００５８】
検査ポート９１は書込みエラーやシーケンス異常等を検出可能となっており、ミラードＲＡＭ９２はユーザワークＲＡＭ８４のデータをミラーリング（複写）するものである。
【００５９】
また、ステータスＲＡＭ９３には、ＨＷパラメータ８３の設定事項等の各種設定事項や各種状態が書き込まれる。すなわち、ステータスＲＡＭ９３の所定ステータスには、予め設定されている各種の状態が随時指定されたアドレスに書き込まれ、指定アドレスの各種状態を示すデータは、検査ポートから読み出すことができるようになっている。
【００６０】
書き込まれるデータとしては、例えば次のようなものが挙げられる。
【００６１】
（１）遊技球Ｂの作動口１１ａへの入賞に基づく記憶個数や、遊技球Ｂの通過ゲート２３ａ，２４ａの通過に基づく記憶個数、すなわち、表示装置１９の表示部１９ａにおける図柄の変動表示分の記憶回数や、７セグ表示部２２における普通図柄の変動表示分の記憶回数。
【００６２】
（２）表示装置１９の表示部１９ａにおける図柄の状態（変動中或いは停止中）や、７セグ表示部２２における普通図柄の状態（変動中或いは停止中）。
【００６３】
（３）大入賞口１２ａ用のシャッタ１４（大入賞口用ソレノイド）や、作動口１１ａ用の羽根１３（ソレノイド）の作動状態（開閉状態）。もちろん、他の役物（例えば大羽根等の第２種特別電動役物と称される役物を有するタイプの遊技機にあっては当該役物）の作動状態にも適用可能である。
【００６４】
（４）作動口１１ａへの入賞、大入賞口１２ａへの入賞、或いは一般入賞口１５ａ〜１８ａへの入賞や、通過ゲート２３ａ，２４ａの通過等の検出情報或いは各種入賞に伴う払出個数情報。
【００６５】
（５）前枠２やガラス扉枠４の開閉等に関する外部情報。
【００６６】
（６）特定の動作（例えばセット動作）を行った場合や電源投入後所定期間のみの特定情報。
【００６７】
これらの数値、状態、情報等は、例えばビット対応で特定番地に設定することで、所定ステータスの指定アドレスに随時書き込まれ、書き込まれたデータが、検査ポートから読み出されうる。これにより、パチンコ機の動作中、つまり遊技中において状態等を把握することができる。
【００６８】
従って、例えば後述する検査を行うに際し、パチンコ機を動作させた状態で、作動口１１ａ等に遊技球Ｂを所定個数入賞させる等して、保留ランプ２１ａ〜２１ｄの点灯状態と、読み出したデータとを比較したりすることで、管理ブロック８９、ひいてはＩＣパッケージ７１（ＩＣチップ７２）が正常に動作しているか否か、特に、ＣＰＵ、ＣＰＵの入出力、周辺基板等との動的組合せが正常に機能しているか否かをきわめて簡易に判定することができる。
【００６９】
なお、これらの数値、状態、情報等を、異種遊技機（パチンコ機）間で統一規格化して同型の所定ステータスに書き込み（記憶させ）、随時読み出し可能とすることとしてもよい。かかる構成とすることで、異種遊技機同士において随時検査等が可能となるというメリットが生ずる。
【００７０】
さらに、ＩＤ用ＲＡＭ９４には、ＩＣチップ７２固有の（パチンコ機固有の）データ（ＩＤデータ）としてのＩＤコードが書き込まれている。ＩＤコードには、メーカ側で設定されたＩＤコード、機種に対応したＩＤコード、ロット番号、製造年月日、等の遊技内容とは無関係のデータが含まれる。
【００７１】
次に、基板ボックス５１Ｂについて説明する。図５，６，７に示すように、前記主基板５１が被包されてなる基板ボックス５１Ｂは、略箱状をなし、ボックス本体１０１と、そのボックス本体１０１に覆設されるボックス蓋体１０２とを備えている。ここで、「被包」とあるのは、主基板５１を外部から遮断するべく、カバーすること、覆うこと、被せ包むこと等を含んでおり、外部から完全に遮断されている場合のみならず、部分的に露出している場合をも含む趣旨である。また、基板ボックス５１Ｂは、上記例のように２つの部材１０１，１０２で構成される場合以外にも単一の部材によって構成されていてもよいし、３つ以上の部材によって構成されていてもよい。また、「被包」する材質は、破壊困難な剛体により構成されていることが望ましいが、部分的に柔軟な素材が含まれていたとしても差し支えない。
【００７２】
ボックス本体１０１には、前記主基板５１が固定されている。そして、該主基板５１を覆うようにしてボックス蓋体１０２が取着固定されている。より詳しくは、ボックス本体１０１及びボックス蓋体１０２の一側部には、相互に係合可能なヒンジ機構１０３が設けられており、該ヒンジ機構１０３にて両者の係合及び位置合わせ等が行われるようになっている（図５，６参照）。上述したように、ボックス本体１０１及びボックス蓋体１０２は透明な樹脂材料により構成されており、内部の主基板５１、特に、ＩＣパッケージ７１を容易に外部から視認できるようになっている。
【００７３】
また、ヒンジ機構１０３を除く部位において基板ボックス５１Ｂのほぼ四隅部には、封印手段１０４が設けられている。図１０に示すように、封印手段１０４は、ボックス本体１０１から突出するよう形成された本体側封印部１０５と、ボックス蓋体１０２から突出するよう形成された蓋体側封印部１０６とを備えている。本体側封印部１０５には上部の開口する凹部１０７が形成されているとともに、その付け根部分において係合溝１０８が形成されている。一方、蓋体側封印部１０６には前記凹部１０７に対応するようにして段差部を有してなる透孔１０９が形成されているとともに、その付け根部分において係合突起１１０が形成されている。但し、係合溝１０８及び係合突起１１０は、少なくとも前記凹部１０７の直径よりも長く形成されている。
【００７４】
そして、ボックス本体１０１に主基板５１がセットされた状態でボックス蓋体１０２が接合され、このとき係合溝１０８に係合突起１１０が係合されることで、凹部１０７及び透孔１０９がそれぞれ位置合わせされる。さらに、この位置合わせ状態で、凹部１０７及び透孔１０９内に接着剤が流し込まれ、その状態で樹脂製の係止ピン１１１が凹部１０７及び透孔１０９に嵌め込まれている。これにより、本体側封印部１０５と蓋体側封印部１０６とが相互に固定され、基板ボックス５１Ｂが封印状態に維持されている。従って、このように一旦封印されてしまうと、該封印手段１０４を破壊することなく開封することができないようになっている。換言すれば、ボックス本体１０１からボックス蓋体１０２を開封しようとした場合には、本体側封印部１０５及び蓋体側封印部１０６の付け根の括れ部分をニッパ等で切断しなければ、開封できないように構成されている。なお、上述した係合溝１０８及び係合突起１１０の存在により、段差が形成されることから、流動状態にある接着剤が本体側封印部１０５及び蓋体側封印部１０６の接合面を伝って基板ボックス５１Ｂ内部の主基板５１側へ漏出するといった事態が防止されるようになっている。
【００７５】
図５及び図７において、主基板５１の側部（パチンコ機の裏面側から見て上部）には、接合端子を構成する複数のソケット１１２が設けられており、該ソケット１１２は前記ＩＣパッケージ７１内のＩＣチップ７２のＩ／Ｏポート８６と電気的に接続されている。各ソケット１１２は、基板ボックス５１Ｂから露出した状態となっており、ここに、「他の装置」を構成する他の基板（例えば図柄表示装置制御基板５３、音声制御基板５４、ランプ制御基板５５等）や各種外部装置（例えばソレノイドや検出スイッチ）等から延びるコネクタが接続されている。但し、該ソケット１１２部分は、前述した保護カバー６３で被覆されている（図４参照）。これにより、タンク６４等からの遊技球Ｂの落下等から、ソケット１１２やコネクタが保護されるようになっている。また、ソケット１１２やコネクタが保護カバー６３で保護されていることから、検出スイッチと主基板５１との間、或いは、主基板５１と図柄表示装置制御基板との間に、不正な基板をぶら下げて（「ぶら下げ基板」を取付けて）、不当に特別遊技状態を発生させるといった、いわゆる「ぶら下げ」と称される不正行為の抑制をも図ることができるようになっている。
【００７６】
さらに、基板ボックス５１Ｂの下端部に対応して、媒介手段、通信端子を構成するモジュラージャック１１３が設けられている。該モジュラージャック１１３は主基板５１に実装されており、前記ＩＣパッケージ７１内のＩＣチップ７２の管理ブロック８９に対し主基板５１上のプリント配線、リード７３等を介して電気的に接続されている。モジュラージャック１１３は、基板ボックス５１Ｂの下方に向けて一端が露出した状態で開口しており、そこに図９に示すような有線外部確認装置を構成する外部リーダ１２１のコネクタ１２２が差し込まれるようになっている。かかる構成により、基板ボックス５１Ｂには、モジュラージャック１１３が設けられることに伴う開口が設けられることとなる。なお、本実施形態において、モジュラージャック１１３は、ＩＣパッケージ７１の近傍に設けられており、これにより、検査時のノイズの低減が図られている。
【００７７】
外部リーダ１２１は、本実施形態におけるシステムに関して専用のものであって、その本体部分は操作用のキー１２３及び表示部１２４を備えている。また、本体部分からは先端に前記コネクタ１２２の設けられてなるフレキシブルなコード１２５が延びており、前記コネクタ１２２がモジュラージャック１１３に差し込まれることで、外部リーダ１２１及び上記管理ブロック８９間での通信が許容されるようになっている。例えば、コネクタ１２２をモジュラージャック１１３に差し込んだ上で所定のキー操作を行うことで、ＩＤ用ＲＡＭ９４に書き込まれたＩＣチップ７２固有のＩＤコードが読み出され、それが表示部１２４に表示されるようになっている。また、例えばＩＤコードを入力した上で、さらに所定のキー操作を行うことで、ミラードＲＡＭ９２に書き込まれたユーザワークＲＡＭ８４のデータや、或いは、ステータスＲＡＭ９３に書き込まれたＨＷパラメータ８３の設定事項等が読み出され、それらが表示部１２４に適宜表示されるようになっている。
【００７８】
また、万一ＩＣパッケージ７１やＩＣチップ７２が不正に交換されたような場合には、（１）外部リーダ１２１と管理ブロック８９との間で通信そのものができないこと、（２）また、仮に通信ができたとしても、ＩＤコードが表示されないこと、各種データや設定事項を読み出すことができないこと等から、不正行為を容易に発見することができるようになっている。特に、上記（１）に関しては、外部リーダ１２１が、管理ブロック８９との間で通信可能か否かをテストできる一種のテスタとしての役割が果たされることとなり、極めて簡易に不正行為のチェックを行うことができる。
【００７９】
尚、本実施形態において、前記モジュラージャック１１３は、パチンコ機の裏面側からみて基板ボックス５１Ｂの周辺部分、特に、下端部に設けられており、上述した保護カバー６３からはみ出した位置に存在している。このため、保護カバー６３や基板ボックス５１Ｂを機構板から取り外したりすることなく、上記設置状態のまま、コネクタ１２２を差し込んで外部リーダ１２１との間で通信を行うことができる。もちろん、このときには基板ボックス５１Ｂを開封したりする必要がなく、さらには、管理ブロック８９の設けられてなるＩＣパッケージ７１（ＩＣチップ７２）を取り外す必要もない。
【００８０】
また、パチンコ機の外周側にモジュラージャック１１３が設けられているため、コネクタ１２２の接続作業を行いやすくなるとともに、検査等の確認作業に際し、コード１２５が邪魔になりにくいというメリットもある。ちなみに、上記例では、いわゆる検査時において、外部リーダ１２１のコネクタ１２２をモジュラージャック１１３に差し込むように構成されている。すなわち、一般にはホール（遊技場）の非営業時において検査が行われるようになっている。
【００８１】
また、モジュラージャック１１３は、その開口部以外についてはボックス蓋体１０２及び周壁１１４で覆われている。このため、モジュラージャック１１３については上記保護カバー６３で覆われてはいないものの、タンク６４等から落下してくる遊技球Ｂやゴミ等の異物が当たったり、入ったりしにくいようになっている。特に、モジュラージャック１１３は下端側に開口しているため、異物等が重力に逆らった動きをしない限り開口部から侵入することはない。そのため、遊技球Ｂのみならず、ゴミやホコリ等の異物の侵入による不具合をも確実に回避できる。
【００８２】
ところで、モジュラージャック１１３の前記開口部にシール部材や蓋部材、或いは檻状のリブ等を設けておくこととしてもよい。或いは、開口部にスライド、或いは開閉可能な可動窓部材を設けることとしてもよい。このように構成することで、開口部からの異物の侵入をより一層確実に規制することができるとともに、モジュラージャック１１３の主要部が経時的に劣化しにくくなり、製造から長期間経過した場合でも、適切な検査を実行することができる。また、この場合、検査に際してはシール部材や蓋部材等を切断、剥離等によって取り外すことで、或いは、窓部材を開くことで、検査を行うことが可能となる。
【００８３】
さて次に、本実施形態の特徴的部分について説明する。図８に示すように、前記ＩＣパッケージ７１内には、ＩＣチップ７２の外に、当該ＩＣチップ７２とは比較にならないほど小さい（例えば０．４ｍｍ角の）超小型無線認識用ＩＣチップ（超小型チップ）２０１がモールドされている。この超小型チップ２０１には外部アンテナ２０２が設けられている。当該超小型チップ２０１には、例えば１２８ビット程度の改ざん不能なデータが製造時に書き込み可能となっている。当該改ざん不能なデータとしては、上述した管理ブロック８９のＩＤ用ＲＡＭ９４に書き込まれるのと同等のデータ、つまり、メーカ側で設定されたＩＤコード、機種に対応したＩＤコード、ロット番号、製造年月日、等の遊技内容とは無関係のデータを例示することができる。
【００８４】
上記超小型チップ２０１のデータ内容を読み出すに際しては、無線外部確認装置としての無線外部リーダ３０１が用いられる。当該無線外部リーダ３０１は、本実施形態におけるシステムに関して専用のものであって、その本体部分は操作用のキー３０２及び表示部３０３を備えている。但し、当該無線外部リーダ３０１は、上述した有線の外部リーダ１２１とは異なり、コード１２５やコネクタ１２２等は設けられていない。つまり、コネクタをモジュラージャックに差し込んだりすることなく、無線外部リーダ３０１を基板ボックス５１Ｂに近づけておいて、所定のキー操作を行うことで、ＩＤコード等のデータが読み出しが可能となる。より詳しくは、所定のキー操作が行われることで、無線外部リーダ３０１からは無線波が発信される。これを受信した超小型チップ２０１は、自ら電源を起電し、自身に書き込まれた（記憶、格納された）固有のＩＤコード等のデータを無線外部リーダ３０１に返信する。当該返信を受けた無線外部リーダ３０１では、上記データが読み出され、それが表示部３０３に表示されるのである。
【００８５】
従って、万一ＩＣパッケージ７１が不正に交換されたような場合には、上述した外部リーダ１２１を持ち出すまでもなく、無線外部リーダ３０１でもってその旨を確認することができる。つまり、無線外部リーダ３０１と超小型チップ２０１との間で通信そのものができないこと、（２）また、仮に通信ができたとしても、適正なＩＤコード等が表示されないこと、各種データや設定事項を読み出すことができないこと等から、不正行為を容易に発見することができるようになっている。特に、上記（１）に関しては、無線外部リーダ３０１が、超小型チップ２０１との間で無線通信可能か否かをテストできる一種のテスタとしての役割が果たされることとなり、極めて簡易に不正行為のチェックを行うことができる。しかも、外部リーダ１２１を用いる場合には、逐一パチンコ機１の電源を投入してモジュラージャック１１３にコネクタ１２２を差し込んでチェックする必要があるのに対し、無線外部リーダ３０１を用いてチェックする場合には、わざわざ電源を投入せずに確認作業を行うこともできる。そのため、非営業状態で確認を行うような場合には、確認作業の著しい簡素化を図ることができる。
【００８６】
以上説明したように、本実施形態によれば、超小型記チップ２０１には、少なくとも遊技の制御とは無関係の固有のＩＤデータ等が記憶されている。そして、確認作業に際しては、前記基板ボックス５１Ｂの閉鎖状態を維持したままで、無線外部リーダ３０１との間で、前記固有のＩＤデータ等が無線通信でき、これにより確認作業ができる。このため、ＩＣチップ７２やＩＣパッケージ７１を取外し不能又は困難とするよう構成したとしても、或いは基板を基板ボックス５１Ｂから取外し不能又は困難とするよう構成したとしても、確認に支障が生じない。従って、かかる構成を採用することで、ＩＣチップ７２やＩＣパッケージ７１等が取り外されるという不正行為が抑制される。また、確認に際しては、閉鎖状態を解除する手間及び確認後閉鎖状態に復帰させる手間をかけることなく確認することができる。しかも、無線外部リーダ３０１との間で無線通信できる情報は、遊技の制御とは無関係の固有の情報であるため、たとえどのような者が確認作業を行ったとしても、遊技の制御に関わる情報が漏洩したりしてしまうおそれがない。このことは、超小型チップ２０１が、前記遊技の制御を司るＩＣチップ７２とは独立して設けられていることと相俟って導出される作用である。それ故、確認作業に際し、警察が立ち会う等の厳格な条件を課す必要が無く、例えば遊技場関係者が独自に簡易に不正チェックを行うことができる。
【００８７】
また、超小型チップ２０１に記憶された固有のＩＤデータ等が改ざん不能に構成されているため、いったん固有のＩＤデータ等が記憶されてしまえば、二度と改ざんすることができない。そのため、超小型チップ２０１に別の情報を記憶させ、これにより不正の隠滅を図るという悪質な行為を抑制することができる。
【００８８】
さらに、超小型チップ２０１は無線外部リーダ３０１からの無線波の発信に伴い、自ら起電可能に構成されているため、パチンコ機１の電源を投入しなくても、例えば非営業中等において容易かつ速やかに確認作業を行うことができる。なお、特に、基板ボックスが遊技機本体とは別に遊技場に搬送され、遊技場内において基板ボックスが組み立てられるタイプの遊技機においては、上記効果は顕著なものとなる。すなわち、このような場合には、遊技場内において、組立の前段階において、基板ボックス（基板）のみを検査等することができる。そのため、遊技場での稼動前段階において、不正が行われた遊技機の設置を規制することができる。結果として遊技場の信用失墜を抑止することができる。
【００８９】
併せて、本実施形態におけるＩＣチップ７２は、独立記憶部たる管理ブロック８９を備えており、モジュラージャック１１３に対し外部リーダ１２１のコネクタ１２２が差し込むことで、管理ブロック８９及び外部リーダ１２１間での通信が許容されることとしている。つまり、有線での外部リーダ１２１を用いた確認作業を行うこともできる。但し、当該作業に際しては、ＩＣチップ７２の内容（例えばＣＰＵ８１やプログラムＲＯＭ８２の内容９までも読み出されてしまうことも懸念されるため、安易に有線の外部リーダ１２１で確認できない事情が生ずることとなる。つまり、このような場合、警察が立ち会う等の厳格な条件の下で、確認作業を行う必要がある。この点、本実施形態では上述したように、固有のＩＤデータ等は、無線外部リーダ３０１との間で無線通信できるようになっているため、厳格な条件を課さずとも、無線での確認作業を行うことができる。従って、厳格な条件での検査、簡便な検査の双方を行うことができるという意味でメリットが大きい。
【００９０】
尚、上述した実施形態の記載内容に限定されることなく、例えば次のように実施してもよい。
【００９１】
（ａ）上記実施形態では、本体側封印部１０５の凹部１０７及び蓋体側封印部１０６の透孔１０９内に接着剤が流し込まれ、その状態で係止ピン１１１が嵌め込まれることにより、基板ボックス５１Ｂが封印状態に保持されることとなっているが、他の封印構成を採用しても何ら差し支えない。但し、上述したように検査等に際しては封印状態を解除する必要がないため、その封印構造は、容易に封印が解除されるものよりは、開封が困難なように構成されていることが望ましい。
【００９２】
例えば図１１（ａ）に示す例では、本体側封印部１３１及び蓋体側封印部１３２が共に位置合わせされた状態で、樹脂封止体１３３にて封止された基板ボックスが図示されている。また、図１１（ｂ）に示す例では、本体側封印部１３４及び蓋体側封印部１３５に、それぞれ透孔１３６，１３７を形成するとともに、量透孔１３６，１３７を位置合わせした状態で、樹脂封止体１３８にて封止された基板ボックスが示されている。特に後者の例では、透孔１３６，１３７内にまで樹脂封止体１３８の樹脂が回り込むため、より確実に封印状態を確保することができる。もちろん、従来技術で説明したような特殊ネジ等の封印具を用いて接合固定したりしてもよい。さらに、上記例においては、樹脂製の係止ピン１１１を凹部１０７及び透孔１０９に嵌め込むといった構成を採用しているが、該係止ピン１１１を省略して、接着剤又は流動状態にある硬化性樹脂を凹部１０７及び透孔１０９に流し込む構成としてもよい。併せて、完全な封印状態としなくても、ボックス本体及びボックス蓋体を略閉鎖状態に維持できるものであれば、ボックス本体及びボックス蓋体間を接着剤やねじ等で固定したりしてもよい。
【００９３】
（ｂ）上記実施形態では、主基板５１の基板ボックス５１ＢのＩＣパッケージ７１内に超小型チップ２０１を封止することとしているが、別のＩＣパッケージ内に封止することとしてもよいし、複数のＩＣパッケージ内に封止することとしてもよい。この場合、固有のＩＤデータ同士をチェックすることにより、より確実な検査を行うことができる。また、検査の精度を一層向上させることができる。
【００９４】
なお、別のＩＣパッケージに封止する場合にあっては、当該ＩＣパッケージから延びるリードの本数は、１０本以上、より好ましくは２０本以上であることが望ましい。一般に、ＩＣパッケージがたとえＣＰＵやＲＯＭといった重要なものを含んでいない場合、警戒という点においてはおろそかにされがちである。ところがリードの本数が１０本以上である場合、そのようなＩＣパッケージがたとえＣＰＵ等の重要なものを含んでいない場合であっても、不正に改ざんし、制御機能を具備せしめた別のパッケージに取り替えることで、制御機能を不正に付与させてしまうことが行われることが懸念される。この点、１０本以上の導電体の本数を具備しているＩＣパッケージに関し、超小型チップが封止されるよう構成すると、上記のように取り替えられた場合でも、容易に不正を発見することができる。
【００９５】
（ｃ）上記実施形態におけるモジュラージャック１１３及び管理ブロック８９を省略した構成としても差し支えない。
【００９６】
（ｄ）基板ボックス５１Ｂは必ずしも透明樹脂素材により構成されていなくてもよい。従って、例えば金属により構成されていてもよい。但し、この場合には、内部構造を視認できるよう、除き窓等が設けられているのが望ましい。
【００９７】
（ｅ）上記実施形態では主基板５１に対しＩＣチップ７２を内包したＩＣパッケージ７１を実装する構成を採用しているが、パッケージングを施すことなくＣＰＵ、ＲＯＭ等を基板に設けることとしてもよい。また、ＩＣパッケージ７１を採用する場合であっても、封止体７４を透明でない例えば黒色の樹脂材料により構成してもよい。また、上記実施の形態ではＺＩＰタイプ等の縦型のＩＣパッケージ７１を採用しているが、他のいかなるタイプをも適用することができる。例えば、上記ＺＩＰ構造と同様にリード引出面が１側面のタイプ（縦型）としては、他にもＳＩＰ（Ｓｉｎｇｌｅ  Ｉｎｌｉｎｅ  Ｐａｃｋａｇｅ）等を挙げることができる。また、リード突出面が２側面のタイプとしては上記ＤＩＰ（Ｄｕａｌ  Ｉｎｌｉｎｅ  Ｐａｃｋａｇｅ）タイプ（ＳＤＩＰ（Ｓｈｒｉｎｋ  ＤＩＰ）を含む）を例示することができる。
【００９８】
なお、これらは、いずれもソケットを介して基板に実装される挿入型である。これに対し、面実装型のタイプを適用してもよい。面実装型としては、第１にリード突出面が２側面のタイプとして、ＳＯＰ（Ｓｍａｌｌ  Ｏｕｔｌｉｎｅ  Ｐａｃｋａｇｅ）タイプ（ＳＳＯＰ（Ｓｈｒｉｎｋ  ＳＯＰ）を含む）、ＴＳＯＰ（Ｔｈｉｎ  Ｓｍａｌｌ  Ｏｕｔｌｉｎｅ  Ｐａｃｋａｇｅ）タイプ、ＳＯＪ（Ｓｍａｌｌ  Ｏｕｔｌｉｎｅ  Ｊ−ｌｅａｄｅｄ  Ｐａｃｋａｇｅ）タイプ等を例示することができ、第２にリード突出面が４側面のタイプとして、ＱＦＰ（Ｑｕａｄ  Ｆｌａｔ  Ｐａｃｋａｇｅ）タイプ、ＴＱＦＰ（Ｔｈｉｎ  Ｑｕａｄ  Ｆｌａｔ  Ｐａｃｋａｇｅ）タイプ、ＱＦＪ（Ｑｕａｄ  Ｆｌａｔ  Ｊ−ｌｅａｄｅｄ  Ｐａｃｋａｇｅ）タイプ等を例示することができる。また、ＢＧＡ（Ｂａｌｌ  Ｇｒｉｄ  Ａｒｒａｙ）タイプであってもよい。
【００９９】
（ｆ）本発明は、上記実施形態とは異なるタイプのパチンコ機等にも適用できる。例えば、大当たり図柄が表示された後に所定の領域に遊技球を入賞させることを必要条件として特別遊技状態となるパチンコ機として実施してもよい。また、表示装置１９のないパチンコ機（例えば大羽根やクルーンといった役物が搭載されているタイプや、いわゆる多くのチューリップが搭載されているタイプ等）にも応用できる。また、パチンコ機以外にも、アレパチ、雀球、スロットマシン等の各種遊技機として実施することも可能である。なお、スロットマシンは、例えばコインを投入して図柄有効ラインを決定させた状態で操作レバーを操作することにより図柄が変動され、ストップボタンを操作することにより図柄が停止されて確定される周知のものである。この場合、遊技媒体はコイン、メダル等が代表例として挙げられる。
【０１００】
また、パチンコ機とスロットマシンとが融合した遊技機の具体例としては、複数の図柄からなる図柄列を変動表示した後に図柄を確定表示する可変表示手段を備えており、遊技球打出用のハンドルを備えていないものが挙げられる。この場合、所定の操作（ボタン操作）に基づく、所定量の遊技球の投入の後、例えば操作レバーの操作に起因して図柄の変動が開始され、例えばストップボタンの操作に起因して或いは所定時間経過することにより図柄の変動が停止され、その停止時の確定図柄がいわゆる大当たり図柄であることを必要条件として遊技者に有利な大当たり状態が発生させられ、遊技者には、下部の受皿に多量の遊技球が払い出されるものである。
【０１０１】
（ｇ）上記実施の形態では、主基板５１及び主基板５１用の基板ボックス５１Ｂを代表例として説明しているが、このような構成を払出制御基板５２、図柄表示装置制御基板５３、音声制御基板５４、ランプ制御基板５５、発射制御基板５６等の他の基板及び各基板ボックスについても同様に適用してもよい。
【図面の簡単な説明】
【０１０２】
【図１】一実施の形態におけるパチンコ機を示す斜視図である。
【図２】パチンコ機の遊技盤等を示す正面図である。
【図３】制御装置等への電源供給の流れ等を示す一種のブロック図である。
【図４】各種基板及び基板ボックス等を説明するためのパチンコ機の背面図である。
【図５】パチンコ機の背面側に取付けられた主基板の被包されてなる基板ボックスを示す正面図である。
【図６】パチンコ機の背面側に装着されている基板ボックスを下面側から見た状態を示す図である。
【図７】基板ボックスの断面図である。
【図８】ＩＣパッケージを示す斜視図である。
【図９】ＩＣチップの電気的構成等を説明するブロック図である。
【図１０】封印手段を拡大して示す部分断面図である。
【図１１】別の実施の形態における封印手段を拡大して示す部分断面図である。
【符号の説明】
【０１０３】
３…遊技盤、５０…制御装置、５１…主基板、５２…払出制御基板、５３…図柄表示装置制御基板、５４…音声制御基板、５５…ランプ制御基板、５６…発射制御基板、５１Ｂ，５２Ｂ，５６Ｂ…基板ボックス、６１…電源スイッチ基板、６２…電源分配基板、６３…保護部材としての保護カバー、７１…ＩＣパッケージ、７２…ＩＣチップ、７３…リード、７４…封止体、８１…中央処理装置（ＣＰＵ）、８２…プログラムＲＯＭ、８３…ユーザワークＲＡＭ、８９…独立記憶部を構成する管理ブロック、１０１…ボックス本体、１０２…ボックス蓋体、１０４…開封維持手段を構成する封印手段、１１２…ソケット、１１３…通信端子を構成するモジュラージャック、１２１…有線外部確認装置としての外部リーダ、１２２…コネクタ、２０１…記憶手段としての超小型チップ、２０２…外部通信手段としての外部アンテナ、３０１…外部確認装置としての無線外部リーダ。
【図１】
2005198841.tif 000003
【図２】
2005198841.tif 000004
【図３】
2005198841.tif 000005
【図４】
2005198841.tif 000006
【図５】
2005198841.tif 000007
【図６】
2005198841.tif 000008
【図７】
2005198841.tif 000009
【図８】
2005198841.tif 000010
【図９】
2005198841.tif 000011
【図１０】
2005198841.tif 000012
【図１１】
2005198841.tif 000013